(57)【要約】   本出願の実施例は、通信方法、ネットワーク設備及び端末設備を提供する。該方法は、ネットワーク設備が、端末設備のレベル情報を含む端末設備のサブスクリプション情報を取得することと、上記ネットワーク設備が、上記レベル情報に従って、第１のネットワーク構成を端末設備に割り当てることと、該端末設備が上記第１のネットワーク構成に従って上記ネットワーク設備と通信することができるように、上記ネットワーク設備が上記端末設備に上記第１のネットワーク構成を送信することとを含む。本出願の通信方法、ネットワーク設備及び端末設備において、ネットワーク設備が、端末設備のレベル情報を含むサブスクリプション情報を取得し、またレベル情報に従って端末設備にネットワーク構成を割り当てて端末設備に送信し、これにより、ネットワーク設備が、異なる端末設備ごとに差別化されたネットワーク構成を行うことができ、それによって高レベルの端末設備に提供するサービス品質を向上させる。
2019519955.tif 000002
【特許請求の範囲】
【請求項１】
通信方法であって、
ネットワーク設備が、端末設備のレベル情報を含むサブスクリプション情報を取得することと、
前記ネットワーク設備が、前記レベル情報に従って、第１のネットワーク構成を前記端末設備に割り当てることと、
前記端末設備が前記第１のネットワーク構成に従って前記ネットワーク設備と通信することができるように、前記ネットワーク設備が前記端末設備に前記第１のネットワーク構成を送信することとを含む、前記通信方法。
【請求項２】
前記ネットワーク設備が、端末設備のサブスクリプション情報を取得することは、
前記ネットワーク設備が、コアネットワーク設備または前記端末設備から、前記サブスクリプション情報を取得することを含むことを特徴とする
請求項１に記載の通信方法。
【請求項３】
前記第１のネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含むことを特徴とする
請求項１又は２に記載の通信方法。
【請求項４】
前記レベル情報は、前記端末設備が第１の優先級端末設備、第２の優先級端末設備または第３の優先級端末設備であることを示すことに用いられ、ここで、前記第１の優先級端末設備、前記第２の優先級端末設備及び前記第３の優先級端末設備は、前記第１のネットワーク構成のパラメータに対する要求が順次に低下することを特徴とする
請求項１乃至３の中のいずれか一項に記載の通信方法。
【請求項５】
前記ネットワーク設備が、前記レベル情報に従って、第１のネットワーク構成を前記端末設備に割り当てることは、
前記レベル情報が、前記端末設備が第１の優先級端末設備であることを示す場合、前記ネットワーク設備が、前記第１の優先級端末設備に、優先的に前記第１のネットワーク構成を割り当てることを含むことを特徴とする
請求項４に記載の通信方法。
【請求項６】
前記ネットワーク設備が、前記レベル情報に従って、ネットワーク構成を前記端末設備に割り当てることは、
前記レベル情報が、前記端末設備が第１の優先級端末設備であることを示す場合、前記ネットワーク設備が第２のネットワーク構成を確定し、前記第２のネットワーク構成は、前記ネットワーク設備が前記第１の優先級端末設備に割り当てる全てのネットワーク構成中の利用率が最も高いネットワーク構成であることと、
前記ネットワーク設備が、前記第１の優先級端末設備に、優先的に前記第２のネットワーク構成を割り当てることとを含むことを特徴とする
請求項４に記載の通信方法。
【請求項７】
通信方法であって、
端末設備が、ネットワーク設備が送信したネットワーク構成を受信することと、
前記端末設備が、前記端末設備のレベル情報を含むサブスクリプション情報を確定することと、
前記端末設備が、前記レベル情報に従って、前記ネットワーク構成を修正することと、
前記端末設備が、修正後のネットワーク構成に従って、前記ネットワーク設備と通信することとを含む、通信方法。
【請求項８】
前記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含むことを特徴とする
請求項７に記載の通信方法。
【請求項９】
前記レベル情報は、前記端末設備が第１の優先級端末設備、第２の優先級端末設備または第３の優先級端末設備であることを示すことに用いられ、ここで、前記第１の優先級端末設備、前記第２の優先級端末設備及び前記第３の優先級端末設備は、前記ネットワーク構成のパラメータに対する要求が順次に低下することを特徴とする
請求項７または８に記載の通信方法。
【請求項１０】
前記端末設備が、ネットワーク設備が送信したネットワーク構成を受信することは、
前記端末設備が、前記ネットワーク設備がブロードキャストまたは専用上位層シグナリングによって送信した前記ネットワーク構成を受信することを含むことを特徴とする
請求項７乃至９の中のいずれか一項に記載の通信方法。
【請求項１１】
前記ネットワーク構成は、第１のレートのサービスであり、
ここで、前記端末設備が、前記レベル情報に従って、前記ネットワーク構成を修正することは、
前記レベル情報が、前記端末設備が第１の優先級端末設備であることを示す場合、前記第１の優先級端末設備が、前記第１のレートを第２のレートにシフトし、前記第２のレートは、前記第１のレートより大きいことを含むことを特徴とする
請求項７乃至１０の中のいずれか一項に記載の通信方法。
【請求項１２】
前記ネットワーク構成は、第１のパーセンテージの滞在率またはアクセス率であり、前記滞在率は、ネットワークが輻輳する時に、前記端末設備が現在のネットワークに滞在する確率であり、前記アクセス率は、前記端末設備が前記ネットワーク設備にアクセスするアクセス確率であり、
ここで、前記端末設備が、レベル情報に従って、前記ネットワーク構成を修正することは、
前記レベル情報が、前記端末設備が第１の優先級端末設備であることを示す場合、前記第１の優先級端末設備が、前記滞在率または前記アクセス率を第２のパーセンテージに拡大し、前記第２のパーセンテージは、前記第１のパーセンテージより大きいことを含むことを特徴とする
請求項７乃至１０の中のいずれか一項に記載の通信方法。
【請求項１３】
ネットワーク設備であって、
端末設備のレベル情報を含むサブスクリプション情報を取得するように構成される取得モジュールと、
前記取得モジュールが取得した前記レベル情報に従って、前記端末設備に第１のネットワーク構成を割り当てるように構成される処理モジュールと、
前記端末設備が、前記第１のネットワーク構成によってネットワーク設備と通信することができるように、前記端末設備に前記処理モジュールが割り当てた前記第１のネットワーク構成を送信するように構成される送信モジュールとを含む、ネットワーク設備。
【請求項１４】
具体的に、前記取得モジュールは、
コアネットワーク設備または前記端末設備から前記サブスクリプション情報を取得するように構成されることを特徴とする
請求項１３に記載のネットワーク設備。
【請求項１５】
前記第１のネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成を含むことを特徴とする
請求項１３または１４に記載のネットワーク設備。
【請求項１６】
前記レベル情報は、前記端末設備が第１の優先級端末設備、第２の優先級端末設備または第３の優先級端末設備であることを示すことに用いられ、ここで、前記第１の優先級端末設備、前記第２の優先級端末設備及び前記第３の優先級端末設備は、前記第１のネットワーク構成のパラメータに対する要求が順次に低下することを特徴とする
請求項１３乃至１５の中のいずれか一項に記載のネットワーク設備。
【請求項１７】
具体的に、前記処理モジュールは、
前記レベル情報が、前記端末設備が第１の優先級端末設備であることを示す場合、前記第１の優先級端末設備に、優先的に前記第１のネットワーク構成を割り当てるように構成されることを特徴とする
請求項１６に記載のネットワーク設備。
【請求項１８】
具体的に、前記処理モジュールは、
前記レベル情報が、前記端末設備が第１の優先級端末設備であることを示す場合、第２のネットワーク構成を確定し、
前記第１の優先級端末設備に、優先的に前記第２のネットワーク構成を割り当てるように構成され、
前記第２のネットワーク構成は、前記ネットワーク設備が前記第１の優先級端末設備に割り当てる全てのネットワーク構成中の利用率が最も高いネットワーク構成であることを特徴とする
請求項１６に記載のネットワーク設備。
【請求項１９】
端末設備であって、
ネットワーク設備が送信したネットワーク構成を受信するように構成される受信モジュールと、
端末設備のレベル情報を含むサブスクリプション情報を確定するように構成される確定モジュールと、
前記確定モジュールが確定した前記レベル情報に従って、前記受信モジュールが受信した前記ネットワーク構成を修正するように構成される処理モジュールと、
前記処理モジュールが修正したネットワーク構成に従って、前記ネットワーク設備と通信するように構成される通信モジュールとを含む、端末設備。
【請求項２０】
前記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含むことを特徴とする
請求項１９に記載の端末設備。
【請求項２１】
前記レベル情報は、前記端末設備が第１の優先級端末設備、第２の優先級端末設備または第３の優先級端末設備であることを示すことに用いられ、ここで、前記第１の優先級端末設備、前記第２の優先級端末設備及び前記第３の優先級端末設備は、前記ネットワーク構成のパラメータに対する要求が順次に低下することを特徴とする
請求項１９または２０に記載の端末設備。
【請求項２２】
具体的に、前記受信モジュールは、
前記ネットワーク設備がブロードキャストまたは専用上位層シグナリングによって送信した前記ネットワーク構成を受信するように構成されることを特徴とする
請求項１９乃至２１の中のいずれか一項に記載の端末設備。
【請求項２３】
前記ネットワーク構成は、第１のレートのサービスであり、
ここで、具体的に、前記処理モジュールは、
前記レベル情報が、前記端末設備が第１の優先級端末設備であることを示す場合、前記第１の優先級端末設備は、前記第１のレートを第２のレートにシフトするように構成され、前記第２のレートは、前記第１のレートより大きいことを特徴とする
請求項１９乃至２２の中のいずれか一項に記載の端末設備。
【請求項２４】
前記ネットワーク構成は、第１のパーセンテージの滞在率またはアクセス率であり、前記滞在率は、ネットワークが輻輳する時に、前記端末設備が現在のネットワークに滞在する確率であり、前記アクセス率は、前記端末設備が前記ネットワーク設備にアクセスするアクセス確率であり、
ここで、前記処理モジュールは、
前記レベル情報が、前記端末設備が第１の優先級端末設備であることを示す場合、前記第１の優先級端末設備が、前記滞在率または前記アクセス率を第２のパーセンテージに拡大するように具体的に構成され、
前記第２のパーセンテージは、前記第１のパーセンテージより大きいことを特徴とする
請求項１９乃至２２の中のいずれか一項に記載の端末設備。
【発明の詳細な説明】
【技術分野】
【０００１】
本出願の実施例は、通信分野に関し、また、より具体的には、通信方法、ネットワーク設備及び端末設備に関する。
【背景技術】
【０００２】
ネットワーク運用中には、運用戦略等の理由により、通信事業者は端末設備に対してレベルを区分する可能性があり、例えば、端末設備のレベルが金ランク、銀ランク及び銅ランク等を含む。端末設備は、ネットワークへ登録する時にレベル情報を知ることができ、同時に、端末設備のサブスクリプション情報もコアネットワーク設備に保存される。
【０００３】
既存のシステムにおいて、アクセスネットワークのエンティティが端末設備に無線リソースを割り当てる際に、端末設備によって開始されるサービスのサービス品質（ＱｏＳ：Ｑｕａｌｉｔｙ  ｏｆ  Ｓｅｒｖｉｃｅ）、端末設備の無線チャネル条件及びネットワーク負荷状況等を考慮するであろう。しかしながら、無線アクセスネットワークは、端末設備のサブスクリプション情報、特に端末設備のレベルを実際に考慮していないため、レベルの高い端末設備は高品質のサービスを受けることができなくなる。
【発明の概要】
【発明が解決しようとする課題】
【０００４】
本出願の実施例は、高レベルの端末設備に提供するサービス品質を向上させることができる通信方法を提供する。
【課題を解決するための手段】
【０００５】
第１の態様において、
ネットワーク設備が、上記端末設備のレベル情報を含むサブスクリプション情報を取得することと、
上記ネットワーク設備が、上記レベル情報に従って、第１のネットワーク構成を上記端末設備に割り当てることと、
上記ネットワーク設備が上記端末設備に上記第１のネットワーク構成を送信することにより、上記端末設備が上記第１のネットワーク構成に従って上記ネットワーク設備と通信することとを含む、通信方法を提供する。
【０００６】
ネットワーク設備が、端末設備のレベル情報を含むサブスクリプション情報を取得し、またレベル情報に従って端末設備にネットワーク構成を確定することにより、ネットワーク設備が、異なる端末設備ごとに差別化されたネットワーク構成を行うことができ、それによって高レベルの端末設備に提供されるサービス品質を向上させる。
【０００７】
第１の態様に合わせて、第１の態様の第１種の可能な実施形態において、上記ネットワーク設備が、端末設備のサブスクリプション情報を取得することは、
上記ネットワーク設備が、コアネットワーク設備または上記端末設備から上記サブスクリプション情報を取得することを含む。
【０００８】
第１の態様に合わせて、または第１の態様の第１種の可能な実施形態、第１の態様の第２種の可能な実施形態において、上記第１のネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【０００９】
第１の態様、及び第１の態様の第１種の可能な実施形態と第１の態様の第２種の可能な実施形態の中のいずれか一種の可能な実施形態に合わせて、第１の態様の第３種の可能な実施形態において、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備の優先級は順次に低下する。
【００１０】
第１の態様の第３種の可能な実施形態に合わせて、第１の態様の第４種の可能な実施形態において、上記ネットワーク設備が、上記レベル情報に従って、上記端末設備に第１のネットワーク構成を割り当てることは、
上記レベル情報が、上記端末設備が第１の優先級端末設備であることを示す場合、上記ネットワーク設備が、上記第１の優先級端末設備に、優先的に上記第１のネットワーク構成を割り当てることを含む。
【００１１】
第１の態様の第３種の可能な実施形態に合わせて、第１の態様の第５種の可能な実施形態において、上記ネットワーク設備が、上記レベル情報に従って、上記端末設備にネットワーク構成を割り当てることは、
上記レベル情報が、上記端末設備が第１の優先級端末設備であることを示す場合、上記ネットワーク設備が第２のネットワーク構成を確定し、上記第２のネットワーク構成は、上記ネットワーク設備が上記第１の優先級端末設備に割り当てる全てのネットワーク構成中の利用率が最も高いネットワーク構成であることと、
上記ネットワーク設備が、上記第１の優先級端末設備に優先的に上記第２のネットワーク構成を割り当てることとを含む。
【００１２】
第２の態様において、
端末設備が、ネットワーク設備が送信した、ネットワーク設備がサブスクリプション情報に含まれる上記端末設備のレベル情報によって確定するネットワーク構成を受信することと、
上記端末設備が、上記ネットワーク構成によって、上記ネットワーク設備と通信することとを含む通信方法を提供する。
【００１３】
端末設備が、ネットワーク設備が端末設備のレベル情報に従って確定したネットワーク構成を受信することにより、ネットワーク設備と通信することで、異なる端末設備ごとに差別化されたネットワーク構成を取得することで、高レベルの端末設備が、受けられるサービス品質を向上させることができる。
【００１４】
第２の態様に合わせて、第２の態様の第１種の可能な実施形態において、上記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【００１５】
第２の態様または第２の態様の第１種の可能な実施形態に合わせて、第２の態様の第２種の可能な実施形態において、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備の優先級は順次に低下する。
【００１６】
第３の態様において、
端末設備が、ネットワーク設備が送信したネットワーク構成を受信することと、
上記端末設備が、上記端末設備のレベル情報を含むサブスクリプション情報を確定することと、
上記端末設備が、上記レベル情報に従って、上記ネットワーク構成を修正することと、
上記端末設備が、修正後のネットワーク構成に従って、上記ネットワーク設備と通信することとを含む通信方法を提供する。
【００１７】
本出願において、端末設備が、サブスクリプション情報に含まれるレベル情報に従って、受信されたネットワーク設備からのネットワーク構成を修正し、修正後のネットワーク構成に従ってネットワーク設備と通信することにより、異なる端末設備ごとに差別化されたネットワーク構成を獲得することができることで、高レベルの端末設備に提供されるサービス品質を向上させることができる。
【００１８】
第３の態様にあわせて、第３の態様の第１種の可能な実施形態において、上記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【００１９】
第３の態様または第３の態様の第１種の可能な実施形態にあわせて、第３の態様の第２種の可能な実施形態において、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備の優先級は順次に低下する。
【００２０】
第３の態様、第３の態様の第１種の可能な実施形態と第３の態様の第２種の可能な実施形態中のいずれか一種の可能な実施形態にあわせて、第３の態様の第３種の可能な実施形態において、上記端末設備が、ネットワーク設備が送信したネットワーク構成を受信することは、
上記端末設備が、上記ネットワーク設備がブロードキャストまたは専用上位層シグナリングによって送信した上記ネットワーク構成を受信することを含む。
【００２１】
第３の態様、第３の態様の第１種の可能な実施形態、第３の態様の第２種の可能な実施形態及び第３の態様の第３種の可能な実施形態中のいずれか一種の可能な実施形態にあわせて、第３の態様の第４種の可能な実施形態において、上記ネットワーク構成は、第１のレートのサービスであり、
ここで、上記端末設備が、上記レベル情報に従って、上記ネットワーク構成を修正することは、
上記レベル情報が、上記端末設備が第１の優先級端末設備であることを示す場合、上記第１の優先級端末設備が、上記第１のレートを第２のレートにシフトし、上記第２のレートは、上記第１のレートより大きいことを含む。
【００２２】
第３の態様、第３の態様の第１種の可能な実施形態、第３の態様の第２種の可能な実施形態及び第３の態様の第３種の可能な実施形態中のいずれか一種の可能な実施形態にあわせて、第３の態様の第５種の可能な実施形態において、上記ネットワーク構成は、第１のパーセンテージの滞在率またはアクセス率であり、上記滞在率は、ネットワークが輻輳する時に、上記端末設備が現在のネットワークに滞在する確率であり、上記アクセス率は、上記端末設備が上記ネットワーク設備にアクセスするアクセス確率であり、
ここで、上記端末設備が、レベル情報に従って、上記ネットワーク構成を修正することは、
上記レベル情報が、上記端末設備が第１の優先級端末設備であることを示す場合、上記第１の優先級端末設備が、上記滞在率または上記アクセス率第２のパーセンテージに拡大し、上記第２のパーセンテージは、上記第１のパーセンテージより大きいことを含む。
【００２３】
第４の態様において、
ネットワーク設備は端末設備にネットワーク構成を割り当てることと、
上記ネットワーク設備が、上記端末設備に上記ネットワーク構成を送信することにより、上記端末設備がサブスクリプション情報に含まれるレベル情報に従って、上記ネットワーク構成を修正し、修正後のネットワーク構成によって上記ネットワーク設備と通信することとを含む。
【００２４】
本出願において、ネットワーク設備が端末設備にネットワーク構成を割り当て、上記ネットワーク構成を端末設備に送信することにより、端末設備がサブスクリプション情報に含まれるレベル情報に従って、受信されたネットワーク設備からのネットワーク構成を修正して、また修正後のネットワーク構成によって、ネットワーク設備と通信し、それにより、異なる端末設備ごとに差別化されたネットワーク構成を獲得することができ、そのため高レベルの端末設備に提供されるサービス品質を向上させることができる。
【００２５】
第４の態様にあわせて、第４の態様の第１種の可能な実施形態において、上記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【００２６】
第４の態様または第４の態様の第１種の可能な実施形態にあわせて、第４の態様の第２種の可能な実施形態において、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備は、上記ネットワーク構成に対するパラメータ要求が順次に低下する。
【００２７】
第５の態様において、上記第１の態様の方法または第１の態様のいずれか一種の可能な実施形態を実施するための各モジュールを含むネットワーク設備を提供する。
【００２８】
第６の態様において、上記第２の態様中の方法または第２の態様のいずれか一種の可能な実施形態を実施するための各モジュールを含む端末設備を提供する。
【００２９】
第７の態様において、上記第３の態様中の方法または第３の態様のいずれか一種の可能な実施形態を実施するための各モジュールを含む端末設備を提供する。
【００３０】
第８の態様において、上記第４の態様中の方法または第４の態様のいずれか一種の可能な実施形態を実施するための各モジュールを含むネットワーク設備を提供する。
【００３１】
第９の態様において、前記第５の態様のネットワーク設備及び前記第６の方面の端末設備を含む通信システムを提供する。
【００３２】
第１０の態様において、前記第７の方面の端末設備及び前記第８の方面のネットワーク設備を提供する。
【００３３】
第１１の態様において、プロセッサとメモリを含むネットワーク設備を提供し、前記メモリにプログラムが記憶され、前記プロセッサは、前記第１の態様または第１の態様いずれか一種の可能な実施形態に記載される通信方法を実施するための前記プログラムを実行する。
【００３４】
第１２の態様において、プロセッサとメモリを含む端末設備を提供し、前記メモリにプログラムが記憶され、前記プロセッサは、前記第２の態様または第２の態様いずれか一種の可能な実施形態に記載される通信方法を実施するための前記プログラムを実行する。
【００３５】
第１３の態様において、プロセッサとメモリを含む端末設備を提供し、前記メモリにプログラムが記憶され、前記プロセッサは、前記第３の態様または第３の態様いずれか一種の可能な実施形態に記載される通信方法を実施するための前記プログラムを実行する。
【００３６】
第１４の態様において、プロセッサとメモリを含む端末設備を提供し、前記メモリにプログラムが記憶され、前記第４の態様または第４の態様いずれか一種の可能な実施形態に記載される通信方法を実施するための前記プログラムを実行する。
【００３７】
第１５の態様において、前記第１の態様または第１の態様のいずれか一種の可能な実施形態中の通信方法を実行することを指示するためのプログラムコードを記憶したコンピュータ記憶媒体を提供する。
【００３８】
第１６の態様において、前記第２の態様または第２の態様のいずれか一種の可能な実施形態中の通信方法を実行することを指示するためのプログラムコードを記憶したコンピュータ記憶媒体を提供する。
【００３９】
第１７の態様において、前記第３の態様または第３の態様のいずれか一種の可能な実施形態中の通信方法を実行することを指示するためのプログラムコードを記憶したコンピュータ記憶媒体を提供する。
【００４０】
第１８の態様において、前記第４の態様または第４の態様のいずれか一種の可能な実施形態中の通信方法を実行することを指示するためのプログラムコードを記憶したコンピュータ記憶媒体を提供する。
【発明の効果】
【００４１】
前記技術的解決策に基づいて、本出願の実施例の通信方法、ネットワーク設備及び端末設備、ネットワーク設備は、端末設備のレベル情報を含むサブスクリプション情報を取得することによって、端末設備にネットワーク構成を割り当て、ネットワーク設備が、異なる端末設備ごとに差別化されたネットワーク構成を行うことができることで、高レベルの端末設備に提供されるサービス品質を向上させることができる。
【図面の簡単な説明】
【００４２】
【図１】本出願の一実施例による適用場面図である。
【図２】本出願の一実施例の通信方法の概略的なフローチャートである。
【図３】本出願のもう一つの実施例の通信方法の概略的なフローチャートである。
【図４】本出願の一実施例のネットワーク設備の概略的なブロック図である。
【図５】本出願の一実施例の端末設備の概略的なブロック図である。
【図６】本出願の一実施例のネットワーク設備のブロック図である。
【図７】本出願の一実施例の端末設備のブロック図である。
【発明を実施するための形態】
【００４３】
本出願の実施例の技術的解決策をより明確に説明するために、上記において、実施例または先行技術に対する説明のために必要な図面について簡単に説明し、明らかに、以下の説明における図面は、単なる本出願の一部の実施例であり、当業者にとっては、創造的な労力を払うことなく、これらの図面に従って他の図面を得ることができる。
【００４４】
以下は、本出願の実施例中の図面に合わせて、本出願の実施例中の技術的解決策を明確、完全に説明し、明らかに、記載された実施例は本出願の全部の実施例ではなく、ただ一部の実施例である。本出願の実施例に基づいて、当業者が創造的な労力を払うことなくて獲得される全ての他の実施例は本出願の範囲内である。
【００４５】
本出願は、端末設備とネットワーク設備の各実施例を組み合わせたものである。端末設備は、アクセス端末、ユーザユニット、ユーザ局、移動局、移動局、遠隔局、遠隔端末、移動設備、ユーザ端末、端末、無線通信設備、ユーザエージェントまたはユーザ装置との呼ばれる。アクセス端末は、携帯電話、コードレス電話、ＳＩＰ（Ｓｅｓｓｉｏｎ  Ｉｎｉｔｉａｔｉｏｎ  Ｐｒｏｔｏｃｏｌ、セッション・イニシエーションプロトコル）電話、ＷＬＬ（Ｗｉｒｅｌｅｓｓ  Ｌｏｃａｌ  Ｌｏｏｐ、無線・ローカル・ループ）局、ＰＤＡ（Ｐｅｒｓｏｎａｌ  Ｄｉｇｉｔａｌ  Ａｓｓｉｓｔａｎｔ、パーソナル・デジタル・アシスタント）、無線通信機能を有するハンドヘルド設備、コンピューティング設備または無線モデムに接続された他の処理設備、車載設備、ウェアラブル設備及び将来の５Ｇネットワークにおける端末設備であってもよい。
【００４６】
ネットワーク設備は、移動設備と通信するために使用することができ、ネットワーク設備は、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）または符号分割多元接続（ＣＤＭＡ：Ｃｏｄｅ  Ｄｉｖｉｓｉｏｎ  Ｍｕｌｔｉｐｌｅ  Ａｃｃｅｓｓ、）中の基地局（ＢＴＳ：Ｂａｓｅ  Ｔｒａｎｓｃｅｉｖｅｒ  Ｓｔａｔｉｏｎ）であっても良く、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）中の基地局（ＮＢ：ＮｏｄｅＢ）であることもでき、またロング・ターム・エボリューション（ＬＴＥ：Ｌｏｎｇ  Ｔｅｒｍ  Ｅｖｏｌｕｔｉｏｎ）中のｅＮＢまたは屋外型ＬＴＥ無線基地局（ｅＮｏｄｅＢ：Ｅｖｏｌｕｔｉｏｎａｌ  Ｎｏｄｅ  Ｂ）、または中継局またはアクセスポイント、または車載設備、ウェアラブル設備及び将来の５Ｇネットワーク中のネットワーク設備であっても良い。
【００４７】
コアネットワーク設備は、移動性管理エンティティ（Ｍｏｂｉｌｉｔｙ  Ｍａｎａｇｅｍｅｎｔ  Ｅｎｔｉｔｙ：ＭＭＥと略称）であっても良く、サービングゲートウェイ（Ｓｅｒｖｉｎｇ  Ｇａｔｅｗａｙ：Ｓ-ＧＷと略称）またはＰＤＮゲートウェイ（ＰＤＮ  Ｇａｔｅｗａｙ:Ｐ-ＧＷと略称）であっても良く、本出願は限定しないが、説明の便宜上、以下の実施例はＭＭＥを例として説明を行うが、本出願はこれに限定しない。
【００４８】
図１は、本出願の実施例で使用される通信システムの模式図である。図１に示すように、上記通信システム１００は、複数のアンテナグループを含むことができるネットワーク設備１０２を備える。各アンテナグループは、一つまたは複数のアンテナを含み、例えば、一つのアンテナグループは、アンテナ１０４と１０６を含むことができ、もう一つのアンテナグループは、アンテナ１０８と１１０を含むことができ、追加のグループは、アンテナ１１２と１１４を含むことができる。図１において、各アンテナグループに対して二つのアンテナを示したが、各グループに対してもっと多いまたはもっと少ないアンテナを使用することができる。ネットワーク設備１０２は、追加的に、送信器チェーンと受信器チェーンを含むことができ、当業者は、それらがすべて信号の送信及び受信に関する複数の部材（例えば、プロセッサ、変調器、マルチプレクサ、復調器、デマルチプレクサまたはアンテナ等）を含むことができることを理解すべきである。
【００４９】
ネットワーク設備１０２は、複数の端末設備（例えば、端末設備１１６と端末設備１２２）と通信することができるが、ネットワーク設備１０２は、端末設備１１６または１２２に類似する任意の数の端末設備と通信することができることが理解することが可能である。端末設備１１６と１２２は、例えば、携帯電話、スマートフォン、ポータブルコンピュータ、ハンドヘルド通信設備、ハンドヘルドコンピューティング設備、衛星無線装置、グローバル定位システム、ＰＤＡ及び/または無線通信システム１００で通信するための任意の他の適合な設備であっても良い。
【００５０】
図１に示すように、端末設備１１６がアンテナ１１２、１１４と通信し、ここで、アンテナ１１２、１１４は、順方向リンク１１８を介して端末設備１１６に情報を送信し、逆方向リンク１２０を介して端末設備１１６から情報を受信する。なお、端末設備１２２がアンテナ１０４、１０６と通信し、その中、アンテナ１０４、１０６は、順方向リンク１２４を介して端末設備１２２に情報を送信し、逆方向リンク１２６を介して端末設備１２２から情報を受信する。
【００５１】
例えば、周波数分割複信（ＦＤＤ、Ｆｒｅqｕｅｎｃｙ  Ｄｉｖｉｓｉｏｎ  Ｄｕｐｌｅｘ）システムにおいて、例えば、順方向リンク１１８は、逆方向リンク１２０が使用するものと異なる周波数帯域を利用することができ、順方向リンク１２４は、逆方向リンク１２６が使用するものと異なる周波数帯域を利用することができる。
【００５２】
また例えば、時分割複信（ＴＤＤ：Ｔｉｍｅ  Ｄｉｖｉｓｉｏｎ  Ｄｕｐｌｅｘ）システムと全二重通信（Ｆｕｌｌ  Ｄｕｐｌｅｘ）システムにおいて、順方向リンク１１８及び逆方向リンク１２０は、共通周波数帯域を使用することができ、順方向リンク１２４及び逆方向リンク１２６は、共通周波数帯域を使用することができる。
【００５３】
通信のために設計された各グループのアンテナ及び/または領域は、ネットワーク設備１０２のセクタと呼ばれる。例えば、アンテナグループを、ネットワーク設備１０２のカバレージエリアのセクタ中の端末設備と通信するように設計することができる。ネットワーク設備１０２が順方向リンク１１８、１２４を介して、それぞれ端末設備１１６、１２２と通信する過程において、ネットワーク設備１０２の送信アンテナは、ビームフォーミングを利用して、順方向リンク１１８、１２４の信号対雑音比を改善することができる。なお、ネットワーク設備が単一のアンテナを介してその全ての的端末設備に信号を送信する方法と比べて、ネットワーク設備１０２が、ビームフォーミングを利用して関連するカバレージエリア内のランダムに分散された端末設備１１６、１２２に信号を送信する時に、隣接する区域中の移動設備が小さい干渉を受ける。
【００５４】
所定の時間において、ネットワーク設備１０２、端末設備１１６または端末設備１２２は、無線通信送信装置及び/または無線通信受信装置であっても良い。データを送信する際に、無線通信送信装置は、データを符号化して伝送することに用いられることができる。具体的に、無線通信送信装置は、（例えば、生成、他の通信装置から受信するか、またはメモリに記憶する等）通信チャネルを介して無線通信受信装置に送信した一定数のデータビットを取得することができる。このようなデータビットは、複数のコードブロックを生成するためにセグメント化することができるデータのトランスポートブロック（または複数のトランスポートブロック）に含めることができる。
【００５５】
以上、図１に合わせて、本出願の応用シナリオの通信システムについて詳細に説明したが、以下、上記システムに適用可能な通信方法及び通信設備について詳細に説明する。
【００５６】
図２は、本出願の一実施例の通信方法のフローチャートである。これは、単に当業者が本出願の実施例をより理解するために過ぎず、本出願の実施例の範囲を限定するわけではない。
【００５７】
２１０において、ネットワーク設備は、端末設備のレベル情報を含む端末設備のサブスクリプション情報を取得する。
【００５８】
ここで、端末設備のレベル情報は、上記端末設備が金ランク、銀ランク及び銅ランクというレベルの端末設備であることを示すものであってもよく、または上記レベル情報は、上記端末設備が高優先級、中優先級及び低優先級の端末設備であることを示すものであってもよく、また端末設備はいくつかのレベル等に分割することができ、本出願はこれについて限定しない。
【００５９】
選択的に、上記ネットワーク設備が、端末設備のサブスクリプション情報を取得することは、
上記ネットワーク設備が、コアネットワーク設備または上記端末設備から上記サブスクリプション情報を取得することを含む。
【００６０】
具体的に説明すると、ネットワーク設備は、コアネットワーク設備からサブスクリプション情報を取得することができる。コアネットワークは、端末設備のために無線ネットワークエンティティ及びコアネットワークエンティティのリンクを確立する時に、上記サブスクリプション情報をネットワーク設備に知らせる。例えば、端末設備のために無線ネットワークエンティティとコアネットワークエンティティのリンクを確立する時に、端末設備は、ネットワーク設備に送信した第１のメッセージ及び/または第３のメッセージに上記サブスクリプション情報が含ませるか、それとも他のメッセージ等を介して行うこともできるが、本出願の実施例は、これに対して限定しない。
【００６１】
ネットワーク設備は、端末設備から直接にサブスクリプション情報を取得することができる。例えば、端末が、ネットワーク設備に送信する無線リソース制御プロトコル（ＲＲＣ：Ｒａｄｉｏ  Ｒｅｓｏｕｒｃｅ  Ｃｏｎｔｒｏｌ）接続要求メッセージ及び/またはＲＲＣベアラ確立完成メッセージに上記サブスクリプション情報が含ませるか、それとも他のメッセージ等を介して行うこともでき、本出願の実施例は、これに対して限定しない。
【００６２】
２２０において、上記ネットワーク設備は、上記レベル情報に従って、ネットワーク構成を確定する。
【００６３】
本出願の実施例は、端末設備のレベル情報によって、端末設備が高、中及び低の三つの優先級であることを示すことを例として説明するが、本出願はこれに限定しない。
【００６４】
選択的に、本出願において、上記ネットワーク設備が、上記レベル情報に従って、上記端末設備に第１のネットワーク構成を割り当てることは、上記レベル情報が、上記端末設備が第１の優先級端末設備であることを示す場合、上記ネットワーク設備は、優先的に上記第１の優先級端末設備に上記第１のネットワーク構成を割り当てることを含む。
【００６５】
端末設備が高優先級端末設備（即ち、第１の優先級端末設備）である場合、ネットワーク設備が無線リソースを割り当てる時に、優先的に上記高優先級端末設備にネットワーク構成を割り当てることができる。例えば、ネットワークが輻輳する時に、ネットワーク設備が、高優先級の端末設備の順位を先頭に取り付けることにより、優先的にネットワークリソースをスケジューリングすることができる。
【００６６】
選択的に、上記ネットワーク設備が、上記レベル情報に従って、上記端末設備にネットワーク構成を割り当てることは、上記レベル情報が、上記端末設備が第１の優先級端末設備であることを示す場合、上記ネットワーク設備が、第２のネットワーク構成を確定し、上記第２のネットワーク構成は、上記ネットワーク設備が上記第１の優先級端末設備に割り当てた全てのネットワーク構成中の利用率が最も高いネットワーク構成であり、上記ネットワーク設備が、優先的に上記第１の優先級端末設備に上記第２のネットワーク構成を割り当てることを含む。
【００６７】
ネットワーク設備は、各端末設備のヒストリー情報を記録することも可能であり、記録した第１の優先級端末設備に割り当てた全てのネットワーク構成によって、端末設備がネットワーク構成を最も多く使用されたネットワーク構成を端末設備の慣用設定（即ち、第２のネットワーク構成）とし、さらに端末設備の慣用設定にに基づいて、合理的なネットワーク構成を行う。例えば、上記レベル情報が、端末設備が高優先級端末設備であることを示し、ヒストリー情報に基づいて高優先級端末設備の使用習慣を確定し、例えば、高優先級端末設備が無線ローカルエリアネットワーク（ＷＬＡＮ：Ｗｉｒｅｌｅｓｓ  Ｌｏｃａｌ  Ａｒｅａ  Ｎｅｔｗｏｒｋｓ）か、それともセルラーネットワークを優先的に使用するかということである。高優先級端末設備の使用習慣がＷＬＡＮである場合、ネットワーク設備は、優先的に高優先級端末設備に上記ＷＬＡＮを割り当てる。他のレベルが上記高優先級端末設備より低い端末設備に、残りのネットワーク構成を選択して利用させ、ひいては低レベルのセルラーネットワークしか割り当てられることができない。
【００６８】
端末設備としては、ネットワーク設備が、端末設備が優先的にＷＬＡＮを使用することを確定した場合、端末設備がセルラーネットワークを使用しているとしても、ネットワーク設備が優先的に上記端末設備にＷＬＡＮ構成を割り当てるため、端末設備は、セルラーネットワークからＷＬＡＮに切替え、同様に、ネットワーク設備が、端末が優先的にセルラーネットワークを使用することを確定した場合、端末設備がＷＬＡＮに切り替えられず、または低優先級の端末設備をＷＬＡＮに切り替える。
【００６９】
留意すべきのことは、ネットワークも異なるレベルのネットワークに分けることができ、高優先級ネットワークまたは周波数が輻輳する場合、ネットワーク設備も優先的に高優先級端末設備に高レベルのネットワークのネットワーク構成を割り当てることができる。対応的に、低優先級端末設備に低優先級ネットワークまたは周波数のネットワーク構成を割り当てることができる。
【００７０】
選択的に、上記ネットワーク構成には、物理層の構成と、媒体アクセス制御（ＭＡＣ：Ｍｅｄｉａ  Ａｃｃｅｓｓ  Ｃｏｎｔｒｏｌ）層の構成と、無線リンク制御層プロトコル（ＲＬＣ：Ｒａｄｉｏ  Ｌｉｎｋ  Ｃｏｎｔｒｏｌ）層の構成と、パケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層の構成及び/または時間周波数リソースの構成とを含む。
【００７１】
具体的に、ネットワーク設備は、レベル情報に従って、層１（物理層）または層２（ＭＡＣ層、ＲＬＣ層及びＰＤＣＰ層）の構成または時間周波数リソースの構成の中の一種の構成を確定し、または、ネットワーク設備は、端末設備のレベル情報に従って、同時に層１、層２及び時間周波数リソースの構成等を確定することができる。ここで、層１は、ＭＡＣ層に伝送チャネルを提供するための、符号化、変調及びマルチアンテナマッピング等の物理層のプロセスを含む。層２は、無線リンク制御層のために論理通信チャネルを提供するためのハイブリッド自動再送要求、アップリンクおよびダウンリンクスケジューリング等を含む。
【００７２】
留意すべきのことは、ネットワーク構成は、物理時間周波数リソースブロックの位置構成、変調符号化構成、参照信号の構成、アンテナ構成情報、伝送帯域幅等であっても良いが、ここでは一々列挙しなく、本出願もこれに対して限定しない。
【００７３】
２３０において、上記ネットワーク設備は、上記端末設備に上記ネットワーク構成を送信することにより、上記端末設備が上記ネットワーク構成に介して上記ネットワーク設備と通信する。
【００７４】
本出願の実施例において、ネットワーク設備は、システム情報のブロードキャストを介して、ネットワーク構成を端末設備に送信することが可能である。または、ネットワーク設備は、制御シグナリングを介して、ネットワーク構成を端末設備に送信することも可能である。ここで、制御シグナリングは、物理層制御シグナリング、例えば、物理ダウンリンク制御通信チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であってもよい。または、ネットワーク設備は、専用上位層シグナリングを介してネットワーク構成を端末設備に送信しても良く、本出願はこれに対して限定しない。こうして、端末設備は、ネットワーク構成を受信した後、ネットワーク設備と通信する。
【００７５】
２４０において、端末設備は、上記ネットワーク構成に従って、上記ネットワーク設備と通信する。
【００７６】
端末設備は、ネットワーク設備がレベル情報に従って確定したネットワーク構成に基づいて、ネットワーク設備と通信する。ネットワーク設備が、異なる端末設備ごとに差別化されたネットワーク構成を行うことができることにより、高レベルの端末設備が受けられるサービス品質を向上させることができる。
【００７７】
そのため、本出願の実施例の通信方法において、ネットワーク設備は端末設備のレベル情報に含まれるサブスクリプション情報を獲得することによって、また、レベル情報に従って端末設備にネットワーク構成を割り当てることで、ネットワーク設備が、異なる端末設備ごとに差別化されたネットワーク構成を行うことができることにより、高レベルの端末設備に提供されるサービス品質を向上させることができる。
【００７８】
本出願の各実施例において、前記各過程の番号の大きさは、実行順序の前後を意味するものではなく、各過程の実行順序は、その機能と内在的な論理によって確定されるものであり、本出願の実施例の実施過程に対していずれの限定を構成してはいけないことを理解すべきである。
【００７９】
図３は、本出願のもう一つの実施例の通信方法のフローチャートである。留意すべきのことは、これは単なる当業者がよりよく本出願の実施例を理解するためのものだけであり、本出願の実施例の範囲を限定するのではない。
【００８０】
３１０において、ネットワーク設備は、ネットワーク構成を確定する。
【００８１】
ネットワーク設備は、端末設備が開始したサービスのＱｏＳ、端末設備の無線通信チャネル条件またはネットワークの負荷状況等、または他の情報等に従って、端末設備にネットワーク構成を割り当てることができ、本出願の実施例は、これに対して限定しない。
【００８２】
選択的に、上記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【００８３】
ネットワーク構成は、層１（物理層）または層２（ＭＡＣ層、ＲＬＣ層及びＰＤＣＰ層）の構成情報または時間周波数リソースの構成中の一種の構成情報を含むことができ、または、ネットワーク設備は、層１の構成、層２の構成及び時間周波数リソースの構成等を同時に確定することができるが、本出願はこれに限定しない。
【００８４】
ここで、層１は、ＭＡＣ層に伝送通信チャネルを提供するための符号化と、変調と、マルチアンテナマッピング等物理層プロセスを含む。層２は、無線リンク制御層に論理通信チャネルを提供するためのハイブリッド自動再送要求、アップリンクおよびダウンリンクスケジューリング等を含む。
【００８５】
留意すべきのことは、ネットワーク構成は、物理的な時間周波数リソースブロックの位置構成、変調符号化構成、参照信号の構成、アンテナ構成及び伝送帯域幅等を含み、ここで一々列挙しないが、本出願はこれに対して限定しない。
【００８６】
３２０において、ネットワーク設備は、端末設備に上記ネットワーク構成を送信する。
【００８７】
選択的に、上記端末設備が、ネットワーク設備が送信したネットワーク構成を受信することは、上記端末設備が、上記ネットワーク設備がブロードキャストまたは専用上位層シグナリングを介して送信した上記ネットワーク構成を受信することを含む。
【００８８】
本出願の実施例において、ネットワーク設備は、システム情報のブロードキャストを介して、ネットワーク構成を端末設備に送信し、またはネットワーク設備は、制御シグナリングを介して、ネットワーク構成を端末設備に送信することができる。ここで、制御シグナリングは、物理層制御シグナリング、例えば、物理ダウンリンク制御チャネルであってもよく、または、ネットワーク設備は、専用上位層シグナリングを介してネットワーク構成を端末設備に送信しても良く、本出願はこれに対して限定しない。
【００８９】
３３０において、端末設備は、上記端末設備のレベル情報を含むサブスクリプション情報を確定する。
【００９０】
選択的に、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備は、上記ネットワーク構成のパラメータ要求が順次に低下する。
【００９１】
端末設備のレベル情報は、上記端末設備が金ランク、銀ランク及び銅ランクのレベルである端末設備を示すことに用いられ、または上記レベル情報は、上記端末設備が高優先級、中優先級及び低優先級である端末設備を示すことに用いられ、また端末設備は、いくつかのレベル等に分けることが可能であるが、本出願はこれに対して限定しない。
【００９２】
３４０において、上記端末設備は、レベル情報に従って、上記ネットワーク構成を修正する。
【００９３】
端末設備が、レベル情報に従って、ネットワーク構成のパラメータに対してシフト、縮小、拡大、または他の操作の修正を行い、優先的に優先級の高い端末設備を有利な方向にするように操作することにより、高優先級の端末設備のユーザ体験を高める。
【００９４】
選択的に、上記端末設備はレベル情報に従って、修正値を確定し、上記修正値は、上記ネットワーク構成の修正の差分を示すことに用いられ、上記修正値に従って上記ネットワーク構成を修正する。
【００９５】
端末設備の修正値または修正範囲は、ネットワーク設備を介して構成することができ、例えば、上位層シグナリング（非アクセス層（Ｎｏｎ-Ａｃｃｅｓｓ  Ｓｔｒａｔｕｍ：ＮＡＳ）シグナリングまたはＲＲＣシグナリングまたはＭＡＣシグナリング等）を介して構成することができ、またはプロトコルで予め定義し、または端末がサブスクリプション情報に従って取得し、または端末によって確定を実現する。
【００９６】
例えば、ネットワーク設備が、第１の優先級端末設備構成に対する修正値がＡであり、第２の優先級端末設備構成に対する修正値が０であり、第３の優先級端末設備構成に対する修正値が-Ａであるとする場合、端末設備は、レベル情報に従って上記端末設備が第１の優先級端末設備であることを確定した時に、対応する修正値はＡであることを確定することができ、もし、レベル情報が、上記端末設備が第２の優先級端末設備であることを示す場合、上記第２の優先級端末設備の対応する修正値は０であり、もし、レベル情報が、上記端末設備が第３の優先級端末設備であると示す場合、上記第３の優先級端末設備の対応する修正値は-Ａである。
【００９７】
選択的に、上記ネットワーク構成が第１のパーセンテージの滞在率またはアクセス率であり、上記滞在率は、ネットワークが輻輳する時に、上記端末設備が現在のネットワークに滞在する確率であり、上記アクセス率は、上記端末設備が上記ネットワーク設備にアクセスするアクセス確率であり、ここで、上記端末設備は、レベル情報に従って、上記ネットワーク構成を修正することは、上記レベル情報が、上記端末設備が第１の優先級端末設備であることを示し、上記第１の優先級端末設備が上記滞在率または上記アクセス率を第２のパーセンテージに拡大し、上記第２のパーセンテージが上記第１のパーセンテージより大きいことを含む。
【００９８】
本出願の実施例において、端末設備のレベル情報が端末設備が第１の優先級端末設備、第２の優先級端末設備及び第３の優先級端末設備の上記三つの優先級を示すことを一例として説明するが、本出願はこれに限定しない。
【００９９】
具体的に、端末設備のレベル情報が、上記端末設備が第１の優先級端末設備であることを示す場合、ネットワークが現在滞在のユーザ数に輻輳する時に、上記第１の優先級端末設備が、ネットワーク構成の滞在確率を縮小、拡大を行うことができることにより、ネットワークに滞在する確率を高める。
【０１００】
ネットワーク設備がアクセスの制御を行う時に、第１の優先級端末設備が、ネットワーク構成のアクセス確率を縮小、拡大を行うことができることにより、第１の優先級端末設備がネットワークにアクセスする確率を高める。
【０１０１】
例えば、ネットワーク設備が、ブロードキャスト情報によって端末設備のために構成したアクセスオーディオ（ＡＭＲ：Ａｄａｐｔｉｖｅ  Ｍｕｌｔｉ-Ｒａｔｅ）が１２.２ｋｂｐｓである音声サービスの確率が６０％であり、もし上記端末設備のレベル情報が、上記端末設備が第１の優先級端末設備であることを示す場合、上記第１の優先級端末設備は、確率の縮小、拡大を行うことができ、即ち、アクセス確率を８０％に高める。
【０１０２】
理解すべきのことは、第１の優先級端末設備が滞在率またはアクセス率を拡大する場合、１００％に拡大することができ、即ち、第１の優先級端末設備は、滞在率またはアクセス率を無視して、ネットワーク構成の制限を受けなくてもよく、本出願はこれに対して限定しない。選択的に、上記ネットワーク構成が第１のレートのサービスであり、ここで、上記端末設備が上記レベル情報に従って、上記ネットワーク構成を修正することは、上記レベル情報が、上記端末設備が第１の優先級端末設備であることを示す場合、上記第１の優先級端末設備は、上記第１のレートを第２のレートにシフトし、上記第２のレートは、上記第１のレートより大きいことを含む。
【０１０３】
理解すべきのことは、上記サービスは、音声サービス、またはビデオサービス、イメージサービス、通話サービス等であっても良く、本出願はこれに対して限定しない。ネットワークがブロードキャスト情報を介して端末設備が行われるサービスを制限する場合、第１の優先級端末設備は、ネットワーク構成の基にしてシフトを増加することができ、それにより、第１の優先級端末設備がもっと高いサービス体験を取得するようにする。
【０１０４】
例えば、ネットワーク設備がブロードキャスト情報を介して端末設備に構成した可能な音声サービスは、ＡＭＲ・１２.２ｋｂｐｓレートであり、もし上記端末設備のレベル情報が、上記端末設備が第１の優先級端末設備であることを示す場合、上記第１の優先級端末設備は、レートのシフトを増加することができ、即ち、上記第１の優先級端末設備がＡＭＲ  １９.２３ｋｂｐｓレートを用いて音声サービスを行うことができる。
【０１０５】
また、例えば、ネットワーク設備がブロードキャスト情報を介して端末設備に構成した通信チャネル条件は、参照信号受信功率（Ｒｅｆｅｒｅｎｃｅ  Ｓｉｇｎａｌ  Ｒｅｃｅｉｖｉｎｇ  Ｐｏｗｅｒ：ＲＳＲＰ）-９０ｄＢｍ以上である場合、開始させることができる音声サービスは、ＡＭＲ  １２.２ｋｂｐｓレートであり、もし上記端末設備のレベル情報が、上記端末設備が第１の優先級端末設備であることを示す場合、上記第１の優先級端末設備は、ＲＳＲＰ値のシフトを増加することができ、即ち、上記第１の優先級端末設備は、通信チャネル条件が-１００ｄＢｍ以上である時にＡＭＲ  １２.２ｋｂｐｓレートの音声サービスを開始させる。
【０１０６】
留意すべきのことは、本出願中における第１の優先級端末設備が、ネットワーク構成の基にしてシフトを増加することは、特定のチャネル条件、またはネットワークの輻輳状況、または他の応用場面等に適用することができ、本出願はこれに対して限定しない。
【０１０７】
また、理解すべきのことは、第１の優先級端末設備がサービスレートに対してシフトの修正を行う場合、任意のレート値にシフトすることができ、即ち、第１の優先級端末設備は上記レート値を無視することができ、任意のレート値のサービスをサポートすることができる。
【０１０８】
選択的に、ネットワーク設備が第１の優先級端末設備を他の何かしらのネットワークまたは周波数に再定位またはリダイレクトする場合、上記第１の優先級端末設備は、前に記録された習慣周波数または習慣ネットワークに滞在することができ、同時に上記第１の優先級端末設備はネットワーク設備に通知メッセージを送信して、上記第１の優先級端末設備の上記選択を通知し、それにより、ネットワーク設備が上記端末設備に上記習慣周波数または習慣ネットワークのネットワーク構成を割り当てる。
【０１０９】
もし端末設備のレベル情報が、上記端末設備が第３の優先級端末設備であることを示す場合、第３の優先級端末設備より高い他の端末設備がネットワーク構成のパラメータを修正した後、ネットワーク構成が充分である場合、第３の優先級端末設備は、ネットワーク構成のパラメータ縮小、拡大することによって、自分に有利な方向に向かって修正し、もしネットワーク構成の余分がなければ、第３の優先級端末設備は自分に有利ではない方向に向かって修正することしかできなく、例えば、第３の優先級端末設備が、前記第１の優先級端末設備と逆の方法で修正し、具体的な操作方法はここで再び記述しない。
【０１１０】
３５０において、上記端末設備は、修正後のネットワーク構成に従って、上記ネットワーク設備と通信する。
【０１１１】
端末設備は、修正後のネットワーク構成に従って、ネットワーク設備と通信する。ネットワーク設備が、異なる端末設備ごとに差別化されたネットワーク構成を行うことができ、これにより、高レベルの端末設備が受けられるサービス品質を向上させることができる。
【０１１２】
そのため、本出願の実施例の通信方法において、端末設備は、サブスクリプション情報に含まれるレベル情報に従って、受信されるネットワーク設備が送信したネットワーク構成を修正し、また修正後のネットワーク構成はネットワーク設備と通信することにより、異なる端末設備ごとに差別化されたネットワーク構成を取得することができることで、高レベルの端末設備が受けられるサービス品質を向上させることができる。
【０１１３】
理解すべきのことは、本出願の各実施例において、前記各過程の番号の大きさは実行順序の前後を意味するものではなく、各過程の実行順序はその機能及び内在的な論理によって確定しなければならなく、本出願の実施例の実施過程に対していずれの限定を構成してはいけない。
【０１１４】
以上、本出願に係る実施例の通信方法について詳細に記述したが、以下では、本出願に係る実施例のネットワーク設備及び端末設備について記述する。
【０１１５】
図４は、本出願に係る実施例のネットワーク設備５００を示す概略的なブロック図である。図４に示すように、上記ネットワーク設備５００は、
上記端末設備のレベル情報を含むサブスクリプション情報を取得するように構成される取得モジュール５１０と、
上記取得モジュールが取得した上記レベル情報に従って、上記端末設備に第１のネットワーク構成を割り当てるように構成される処理モジュール５２０と、
上記端末設備に上記処理モジュールが割り当てた上記第１のネットワーク構成を送信することにより、上記端末設備が、上記第１のネットワーク構成によってネットワーク設備と通信するようにするように構成される送信モジュール５３０と、を含む。
【０１１６】
そのため、本出願の実施例のネットワーク設備において、端末設備のレベル情報に含まれるサブスクリプション情報を取得することにより、端末設備にネットワーク構成を確定することで、ネットワーク設備は、異なる端末設備ごとに差別化されたネットワーク構成を行うことができることにより、高レベルの端末設備に提供されるサービス品質を向上させることができる。
【０１１７】
選択的に、上記取得モジュール５１０は、具体的には、
コアネットワーク設備または上記端末設備から上記サブスクリプション情報を取得するように構成される。
【０１１８】
本出願において、選択的に、上記第１のネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【０１１９】
選択的に、本出願において、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備の優先級は順次に低下する。
【０１２０】
本出願において、選択的に、上記処理モジュール５２０は、具体的には、
上記レベル情報が、上記端末設備が第１の優先級端末設備であることを示す場合、優先的に上記第１の優先級端末設備に上記第１のネットワーク構成を割り当てるように構成される。
【０１２１】
選択的に、本出願において、上記処理モジュール５２０は、具体的には、
上記レベル情報が、上記端末設備が第１の優先級端末設備であることを示す場合、第２のネットワーク構成を確定し、上記第２のネットワーク構成は、上記ネットワーク設備が上記第１の優先級端末設備に割り当てた全てのネットワーク構成中の利用率が最も高いネットワーク構成であり、
優先的に上記第１の優先級端末設備に上記第２のネットワーク構成を割り当てる。
【０１２２】
そのため、本出願の実施例のネットワーク設備において、ネットワーク設備が、端末設備のレベル情報に含まれるサブスクリプション情報を取得することにより、端末設備にネットワーク構成を割り当て、ネットワーク設備が、異なる端末設備ごとに差別化されたネットワーク構成を行うことができることにより、高レベルの端末設備に提供されるサービス品質を向上させることができる。
【０１２３】
本出願に係る実施例のネットワーク設備５００は、本出願に係る実施例の通信方法中のネットワーク設備に対応されることができ、またネットワーク設備５００中の各モジュールの上記と他の操作及び/または機能は、それぞれ前記各方法の対応的なプロセスのためであり、簡潔のためであり、ここでは再び記述しない。
【０１２４】
図５は、本出願に係る実施例の端末設備６００を示す概略的なブロック図である。図５に示すように、上記端末設備６００は、
ネットワーク設備が送信したネットワーク構成を受信するように構成される受信モジュール６１０と、
端末設備のレベル情報を含むサブスクリプション情報を確定するように構成される確定モジュール６２０と、
上記確定モジュールが確定した上記レベル情報に従って、上記受信モジュールが受信した上記ネットワーク構成を修正するように構成される処理モジュール６３０と、
上記処理モジュールが修正した後のネットワーク構成に従って、上記ネットワーク設備と通信するように構成される通信モジュール６４０とを含む。
【０１２５】
そのため、本出願の実施例の端末設備において、サブスクリプション情報に含まれるレベル情報に従って、受信されたネットワーク設備からのネットワーク構成を修正して、また修正後のネットワーク構成によってネットワーク設備と通信することにより、異なる端末設備が、差別化されたネットワーク構成を獲得することができることで、高レベルの端末設備に提供されるサービス品質を向上させることができる。
【０１２６】
本出願において、選択的に、上記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【０１２７】
選択的に、本出願において、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備が上記ネットワーク構成に対するｒパラメータ要求が順次に低下する。
【０１２８】
本出願において、選択的に、上記受信モジュール６１０は、具体的には、
上記ネットワーク設備がブロードキャストまたは専用上位層シグナリングを介して送信した上記ネットワーク構成を受信するように構成される。
【０１２９】
選択的に、本出願において、上記ネットワーク構成は、第１のレートのサービスであり、
ここで、上記処理モジュール６３０は、具体的には、
上記レベル情報が、上記端末設備が第１の優先級端末設備であることを示す場合、上記第１の優先級端末設備は、上記第１のレートを第２のレートにシフトするように構成され、上記第２のレートは、上記第１のレートより大きい。
【０１３０】
本出願において、選択的に、上記ネットワーク構成は、第１のパーセンテージの滞在率またはアクセス率であり、上記滞在率は、ネットワークが輻輳する時に、上記端末設備が現在のネットワークに滞在する確率であり、上記アクセス率は、上記端末設備が上記ネットワーク設備にアクセスするアクセス確率であり、
ここで、上記処理モジュール６３０は、具体的には、
上記レベル情報が、上記端末設備が第１の優先級端末設備であることを示す場合、上記第１の優先級端末設備は、上記滞在率または上記アクセス率を第２のパーセンテージに拡大するように構成され、上記第２のパーセンテージが上記第１のパーセンテージより大きい。
【０１３１】
そのため、本出願の実施例の端末設備において、サブスクリプション情報に含まれるレベル情報に従って、ネットワーク設備が送信したネットワーク構成を修正して受信し、修正後のネットワーク構成によってネットワーク設備と通信することにより、異なる端末設備ごとに差別化されたネットワーク構成を獲得することができることで、高レベルの端末設備に提供されるサービス品質を向上させることができる。
【０１３２】
本出願に係る実施例の端末設備６００は、本出願に係る実施例の通信方法中の端末設備に対応することができ、また端末設備６００中の各モジュールの上記と他の操作及び/または機能は、それぞれ分別可能な前述各方法の対応的なプロセスのためであり、簡潔のためであり、ここでは再び記述しない。
【０１３３】
図６は、本出願に係る実施例のネットワーク設備を示すブロック図である。ネットワーク設備は、少なくとも一つのプロセッサ８０１と、通信バス８０２と、メモリ８０３及び少なくとも一つの通信インタフェース８０４とを含む。
【０１３４】
プロセッサ８０１は、一つの汎用中央プロセッサ（ＣＰＵ）、マイクロプロセッサ、特定用途向け集積回路（ＡＳＩＣ：ａｐｐｌｉｃａｔｉｏｎ-ｓｐｅｃｉｆｉｃ  ｉｎｔｅｇｒａｔｅｄ  ｃｉｒｃｕｉｔ）、または本出願の解決策のプログラムの実行を制御するための一つのまたは複数の集積回路であっても良い。
【０１３５】
通信バス８０２は、前記コンポーネントの間で情報を伝送するための経路を含むことができる。前記通信インタフェース８０４は、いずれの送受信機などの装置を使用して、イーサネット、無線アクセスネットワーク（ＲＡＮ）、ワイヤレス・ローカル・エリア・ネットワーク（ＷＬＡＮＷｉｒｅｌｅｓｓ  Ｌｏｃａｌ  Ａｒｅａ  Ｎｅｔｗｏｒｋｓ）等の他の設備または通信ネットワークと通信する。
【０１３６】
メモリ８０３は、読み取り専用メモリ（ＲＯＭ：ｒｅａｄ-ｏｎｌｙ  ｍｅｍｏｒｙ）または静的情報とプログラム命令を記憶することができる他のタイプの静的記憶デバイス、ランダム・アクセス・メモリ（ＲＡＭ：ｒａｎｄｏｍ  ａｃｃｅｓｓ  ｍｅｍｏｒｙ）または情報とプログラム命令を記憶することができる他のタイプの動的記憶設備であってもよく、また電気的に消去可能なプログラマブル読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ）、コンパクトディスク読み取り専用メモリ（ＣＤ-ＲＯＭ：Ｃｏｍｐａｃｔ  Ｄｉｓｃ  Ｒｅａｄ-Ｏｎｌｙ  Ｍｅｍｏｒｙ）または他の光ディスク記憶、ディスク記憶（コンパクトディスク、レーザーディスク、光ディスク、デジタルバーサタイルディスク、ブルーレイディスク等を含む）、磁気ディスク記憶媒体または他の磁気記憶設備、またはプログラム命令またはデータ構造の形態を携帯または記憶することができる所望のプログラムコード、またコンピュータによって記憶したり取り出したりすることができるいずれの他の媒体であっても良いが、これに限定しない。メモリは、独立して存在することができ、バスを介して、プロセッサに接続される。メモリは、プロセッサに集積されることができる。
【０１３７】
具体的な実現において、実施例として、ネットワーク設備は、出力設備８０５と入力設備８０６を含むことができる。出力設備８０５は、プロセッサ８０１と通信し、様々な方法で情報を表示することができる。例えば、出力設備８０５は、液晶ディスプレイ（ｌｉqｕｉｄ  ｃｒｙｓｔａｌ  ｄｉｓｐｌａｙ：ＬＣＤ）、発光ダイオード（ｌｉｇｈｔ  ｅｍｉｔｔｉｎｇ  ｄｉｏｄｅ：ＬＥＤ）ディスプレイデバイス、陰極線管（ｃａｔｈｏｄｅ  ｒａｙ  ｔｕｂｅ：ＣＲＴ）ディスプレイデバイス、またはプロジェクタ（ｐｒｏjｅｃｔｏｒ）等であっても良い。入力設備８０６はプロセッサ８０１と通信する場合、様々な方法でユーザの入力を受け入れることができる。例えば、入力設備８０６は、マウス、キーボード、タッチスクリーン設備または検知設備等であってもよい。
【０１３８】
ここで、前記メモリ８０３は、本出願の解決策を実行するための応用プログラムコードを記憶するように構成され、プロセッサ８０１によって実行を制御する。前記プロセッサ８０１は、前記メモリ８０３中に記憶された応用プログラム８０３１を実行するように構成され、以下の操作のプログラム命令を実行するように構成され、
入力設備８０６を介して、上記端末設備のレベル情報を含むサブスクリプション情報を取得し、
上記レベル情報に従って、上記端末設備に第１のネットワーク構成を割り当て、
出力設備８０５を介して、上記端末設備に上記第１のネットワーク構成を送信することにより、上記端末設備が上記第１のネットワーク構成に従って上記ネットワーク設備と通信する。
【０１３９】
選択的に、プロセッサ８０１は、具体的には、
入力設備８０６を介して、コアネットワーク設備または上記端末設備から上記サブスクリプション情報取得するように構成される。
【０１４０】
選択的に、上記第１のネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【０１４１】
選択的に、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備の優先級は順次に低下する。
【０１４２】
選択的に、プロセッサ８０１は、具体的には、
上記レベル情報が、上記端末設備が第１の優先級端末設備であることを示す場合、優先的に上記第１の優先級端末設備に上記第１のネットワーク構成を割り当てるように構成される。
【０１４３】
選択的に、プロセッサ８０１は、具体的には、
上記レベル情報が、上記端末設備が第１の優先級端末設備であることを示す場合、第２のネットワーク構成を確定し、上記第２のネットワーク構成が、上記ネットワーク設備が上記第１の優先級端末設備に割り当てた全てのネットワーク構成中の利用率が最も高いネットワーク構成であり、上記ネットワーク設備は、上記第１の優先級端末設備が割り当てた全てのネットワーク構成に記録されることと、
優先的に上記第１の優先級端末設備に上記第２のネットワーク構成を割り当てるように構成される。
【０１４４】
本出願の実施例で提供する上記の技術的解決策からわかるように、端末設備のレベル情報に含まれるサブスクリプション情報を取得し、またレベル情報に従って、端末設備にネットワーク構成を割り当てることにより、ネットワーク設備が、異なる端末設備ごとに差別化されたネットワーク構成を行うことができることにより、高レベルの端末設備に提供されるサービス品質を向上させることができる。
【０１４５】
本出願に係る実施例のネットワーク設備８００は、本出願に係る実施例の通信方法中のネットワーク設備に対応することができ、また、ネットワーク設備８００中の各モジュールの上記と他の操作及び/または機能は、それぞれ前述各方法の対応的なプロセスを実現するためであり、簡潔のためであり、ここでは再び記述しない。
【０１４６】
図７は、本出願に係る実施例の端末設備を示すブロック図である。ネットワーク設備は、少なくとも一つのプロセッサ９０１と、通信バス９０２と、メモリ９０３及び少なくとも一つの通信インタフェース９０４とを含む。
【０１４７】
プロセッサ９０１は、一つの汎用中央プロセッサ（ＣＰＵ）、マイクロプロセッサ、特定用途向け集積回路（ＡＳＩＣ：ａｐｐｌｉｃａｔｉｏｎ-ｓｐｅｃｉｆｉｃ  ｉｎｔｅｇｒａｔｅｄ  ｃｉｒｃｕｉｔ）、または本出願の解決策のプログラムの実行を制御するための一つのまたは複数の集積回路であっても良い。
【０１４８】
通信バス９０２は、前記コンポーネントの間で情報を伝送するための経路を含むことができる。前記通信インタフェース９０４は、いずれの送受信機などの装置を使用して、イーサネット、無線アクセスネットワーク（ＲＡＮ）、ワイヤレス・ローカル・エリア・ネットワーク（ＷＬＡＮ：Ｗｉｒｅｌｅｓｓ  Ｌｏｃａｌ  Ａｒｅａ  Ｎｅｔｗｏｒｋｓ）等の他の設備または通信ネットワークと通信する。
【０１４９】
メモリ９０３は、読み取り専用メモリ（ＲＯＭ：ｒｅａｄ-ｏｎｌｙ  ｍｅｍｏｒｙ）または静的情報とプログラム命令を記憶することができる他のタイプの静的記憶デバイス、ランダム・アクセス・メモリ（ＲＡＭ：ｒａｎｄｏｍ  ａｃｃｅｓｓ  ｍｅｍｏｒｙ）または情報とプログラム命令を記憶することができる他のタイプの動的記憶設備であってもよく、また電気的に消去可能なプログラマブル読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ）、コンパクトディスク読み取り専用メモリ（ＣＤ-ＲＯＭ：Ｃｏｍｐａｃｔ  Ｄｉｓｃ  Ｒｅａｄ-Ｏｎｌｙ  Ｍｅｍｏｒｙ）または他の光ディスク記憶、ディスク記憶（コンパクトディスク、レーザーディスク、光ディスク、デジタルバーサタイルディスク、ブルーレイディスク等を含む）、磁気ディスク記憶媒体または他の磁気記憶設備、またはプログラム命令またはデータ構造の形態を携帯または記憶することができる所望のプログラムコード、またコンピュータによって記憶したり取り出したりすることができるいずれの他の媒体であっても良いが、これに限定しない。メモリは、独立して存在することができ、バスを介して、プロセッサに接続される。メモリは、プロセッサに集積されることができる。
【０１５０】
具体的な実現において、実施例として、ネットワーク設備は、出力設備９０５と入力設備９０６を含むことができる。出力設備９０５は、プロセッサ９０１と通信し、様々な方法で情報を表示することができる。例えば、出力設備９０５は、液晶ディスプレイ（ＬＣＤ：ｌｉqｕｉｄ  ｃｒｙｓｔａｌ  ｄｉｓｐｌａｙ）、発光ダイオード（ＬＥＤ：ｌｉｇｈｔ  ｅｍｉｔｔｉｎｇ  ｄｉｏｄｅ）ディスプレイデバイス、陰極線管（ｃａｔｈｏｄｅ  ｒａｙ  ｔｕｂｅ：ＣＲＴ）ディスプレイデバイス、またはプロジェクタ（ｐｒｏjｅｃｔｏｒ）等であっても良い。入力設備９０６はプロセッサ９０１と通信する場合、様々な方法でユーザの入力を受け入れることができる。例えば、入力設備９０６は、マウス、キーボード、タッチスクリーン設備または検知設備等であってもよい。
【０１５１】
ここで、前記メモリ９０３は、本出願の解決策を実行するための応用プログラムコードを記憶するように構成され、プロセッサ９０１によって実行を制御する。前記プロセッサ９０１は、前記メモリ９０３中に記憶された応用プログラム９０３１を実行するように構成され、以下の操作のプログラム命令を実行するように構成され、
入力設備９０６を介して、ネットワーク設備が送信したネットワーク構成を受信し、
上記端末設備のレベル情報を含むサブスクリプション情報を確定し、
上記レベル情報に従って、上記ネットワーク構成を修正し、
通信インタフェース９０４を介して、修正後のネットワーク構成に従って、上記ネットワーク設備と通信する。
【０１５２】
選択的に、上記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含む。
【０１５３】
選択的に、上記レベル情報は、上記端末設備が第１の優先級端末設備、第２の優先級端末設備または第３の優先級端末設備であることを示すことに用いられ、ここで、上記第１の優先級端末設備、上記第２の優先級端末設備及び上記第３の優先級端末設備が上記ネットワーク構成のパラメータに対する要求が順次に低下する。
【０１５４】
選択的に、プロセッサ９０４は、具体的には、
入力設備９０６を介して上記ネットワーク設備がブロードキャストまたは専用上位層シグナリングによって送信した上記ネットワーク構成を受信するように構成される。
【０１５５】
選択的に、上記ネットワーク構成は、第１のレートのサービスであり、
ここで、プロセッサ９０４は、具体的には、
上記レベル情報が、上記端末設備が第１の優先級端末設備であることを示す場合、上記第１の優先級端末設備は、上記第１のレートを第２のレートにシフトするように構成され、上記第２のレートは、上記第１のレートより大きい。
【０１５６】
選択的に、上記ネットワーク構成は、第１のパーセンテージの滞在率またはアクセス率であり、上記滞在率は、ネットワークが輻輳する時上記端末設備が現在のネットワークに滞在する確率であり、上記アクセス率は、上記端末設備が上記ネットワーク設備にアクセスするアクセス確率であり、
ここで、プロセッサ９０４は、具体的には、
上記レベル情報が、上記端末設備が第１の優先級端末設備であることを示す場合、上記第１の優先級端末設備は、上記滞在率または上記アクセス率を第２のパーセンテージに拡大するように構成され、上記第２のパーセンテージが上記第１のパーセンテージより大きい。
【０１５７】
本出願の実施例から提供された以上の技術的解決策から分かるように、端末設備は、サブスクリプション情報に含まれるレベル情報に従って、ネットワーク設備が送信したネットワーク構成を修正して受信し、修正後のネットワーク構成によってネットワーク設備と通信することにより、異なる端末設備ごとに差別化されたネットワーク構成を得ることができることで、高レベルの端末設備を受けられるサービス品質を向上させることができる。
【０１５８】
本出願に係る実施例の端末設備９００は、本出願に係る実施例の通信方法中の端末設備に対応することができ、また端末設備９００中の各モジュールの上記と他の操作及び/または機能は、それぞれ前述各方法の対応的なプロセスを実現するためであり、簡潔のためであり、ここでは再び記述しない。
【０１５９】
本出願の実施例は、前記いずれか一種の方法を示すためのプログラムプログラム命令を記憶することができるコンピュータ記憶媒体をさらに提供する。
【０１６０】
選択的に、上記記憶媒体は、具体的にメモリ８０３または９０３であっても良い。
【０１６１】
理解すべきのことは、「及び/または」という用語は、Ａが独立的に存在し、ＡおよびＢが同時に存在し、Ｂが独立的に存在することを示すことができるＡ及び/またはＢのような３つの関係が存在し得ることを示す関連オブジェクトを記述する単なる関連する関係に過ぎないことを理解されたい。なお、上記本文中の文字「/」は、一般に、コンテキストオブジェクトが「または」関係であることを示す。
【０１６２】
理解すべきのことは、本出願の各実施例において、前記各過程の番号実行順序の前後を意味するものではなく、各過程の実行順序は、その機能と内在的な論理によって確定されるものであり、本出願の実施例の実施過程に対していずれの限定を構成しない。
【０１６３】
当業者であれば、本文で開示された実施例に関連して記述された各例示のユニット及アルゴリズムステップが、電子ハードウェア、またはコンピュータソフトウェアおよび電子ハードウェアの組み合わせで実現することができることを理解するだろう。これらの機能は、ハードウェアで実行されるかまたはソフトウェア方式で実行されるかは、技術的解決策の特定応用と設計上の制約条件によって異なる。専門技術員は、各特定的な応用に対して異なる方法によって上記した機能を実現することができるが、このような実現は本出願の範囲を超えてはならない。
【０１６４】
当業者であれば、説明の便宜および簡潔さのために、上記で記述したシステム、装置及びユニットの具体的な作動過程は、前述方法の実施例中の対応する過程を参照することができ、ここで再び説明されないことを明確に理解することができる。
【０１６５】
本出願が提供するいくつかの実施例において、開示されたシステム、装置及び方法は、他の方式で実現され得ることを理解されたい。例えば、上記で記述した装置の実施例は、単なる例示的であり、例えば、前記ユニットの区分は、単なる論理機能の区分であり、実際に実現する際には、他の区分方法を有することができ、例えば、複数のユニットまたはコンポーネントは、もう一つのシステムに組み合わせたり、または集積したり、またはある特徴を無視したり、または実行しないことができる。もう一つとして、表示されたり、または議論した相互の間のカップリングまたは直接のカップリングまたは通信接続は、あるインタフェース、装置またはユニットを介した間接的なカップリングまたは通信接続であってもよく、電気的、機械的または他の形態であってもよい。
【０１６６】
前記分離の構成要素として記述したユニットは、物理的に分離されてもよくされなくてもよく、ユニットとして表示される構成要素は、物理ユニットであってもなくてもよく、即ち、一つの箇所に位置するか、または複数のネットワークユニット上に分布されてもよく。実際の必要に応じて、その中の一部または全部のユニットを選択して本実施例の解決策の目的を実現することができる。
【０１６７】
なお、本出願の各実施例においての各機能ユニットは、一つの処理ユニットに集積されてもよいし、各ユニットが物理的に別々に存在してもよいし、二つまたは二つ以上のユニットが一つのユニットに集積されてもよい。
【０１６８】
前記機能は、ソフトウェア機能ユニットの形態に実現され、独立的な製品として販売または使用する場合、一つのコンピュータ可読記憶媒体に記憶されてもよい。このような理解に基づいて、本出願の技術的解決策の本質上、または先行技術に対して貢献のある部分または上記技術的解決策の部分は、ソフトウェアの製品の形態で実現されることができ、上記コンピュータソフトウェア製品は、一つの記憶媒体に記憶され、一台のコンピュータ設備（パーソナルコンピュータ、サーバ、またはネットワーク設備等）が本出願の各実施例の前記方法の全部または一部のステップを実行させるために、いくつかのプログラム命令が記憶される。前述記憶媒体には、プログラムコードを記憶可能なＵディスク、ポータブルハードディスク、読み取り専用メモリ（Ｒｅａｄ-Ｏｎｌｙ  Ｍｅｍｏｒｙ：ＲＯＭ）、ランダム・アクセス・メモリ（Ｒａｎｄｏｍ  Ａｃｃｅｓｓ  Ｍｅｍｏｒｙ：ＲＡＭ）、磁気ディスクまたは光ディスクなどが含まれる。
【０１６９】
以上、本出願の具体的な実施形態についてのみ説明したが、本出願の保護範囲はこれに限定されるものではなく、当業者であれば、本出願が提示した技術的範囲内で容易に変更または交替を想到することができ、本出願の保護範囲内に含まれるべきである。したがって、本出願の保護範囲は、請求の保護範囲に基づかなければならない。
【図１】
2019519955.tif 000003
【図２】
2019519955.tif 000004
【図３】
2019519955.tif 000005
【図４】
2019519955.tif 000006
【図５】
2019519955.tif 000007
【図６】
2019519955.tif 000008
【図７】
2019519955.tif 000009
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
通信方法であって、
ネットワーク設備が、端末設備のレベル情報を含むサブスクリプション情報を取得することと、
前記ネットワーク設備が、前記レベル情報に従って、第１のネットワーク構成を前記端末設備に割り当てることと、
前記端末設備が前記第１のネットワーク構成に従って前記ネットワーク設備と通信することができるように、前記ネットワーク設備が前記端末設備に前記第１のネットワーク構成を送信することとを含む、前記通信方法。
【請求項２】
前記ネットワーク設備が、端末設備のサブスクリプション情報を取得することは、
前記ネットワーク設備が、コアネットワーク設備または前記端末設備から、前記サブスクリプション情報を取得することを含むことを特徴とする
請求項１に記載の通信方法。
【請求項３】
前記第１のネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含むことを特徴とする
請求項１又は２に記載の通信方法。
【請求項４】
前記レベル情報は、前記端末設備が第１の優先級端末設備、第２の優先級端末設備または第３の優先級端末設備であることを示すことに用いられ、ここで、前記第１の優先級端末設備、前記第２の優先級端末設備及び前記第３の優先級端末設備は、前記第１のネットワーク構成のパラメータに対する要求が順次に低下することを特徴とする
請求項１乃至３の中のいずれか一項に記載の通信方法。
【請求項５】
前記ネットワーク設備が、前記レベル情報に従って、第１のネットワーク構成を前記端末設備に割り当てることは、
前記レベル情報が、前記端末設備が第１の優先級端末設備であることを示す場合、前記ネットワーク設備が、前記第１の優先級端末設備に、優先的に前記第１のネットワーク構成を割り当てることを含むことを特徴とする
請求項４に記載の通信方法。
【請求項６】
前記ネットワーク設備が、前記レベル情報に従って、ネットワーク構成を前記端末設備に割り当てることは、
前記レベル情報が、前記端末設備が第１の優先級端末設備であることを示す場合、前記ネットワーク設備が第２のネットワーク構成を確定し、前記第２のネットワーク構成は、前記ネットワーク設備が前記第１の優先級端末設備に割り当てる全てのネットワーク構成中の利用率が最も高いネットワーク構成であることと、
前記ネットワーク設備が、前記第１の優先級端末設備に、優先的に前記第２のネットワーク構成を割り当てることとを含むことを特徴とする
請求項４に記載の通信方法。
【請求項７】
通信方法であって、
端末設備が、ネットワーク設備が送信したネットワーク構成を受信することと、
前記端末設備が、前記端末設備のレベル情報を含むサブスクリプション情報を確定することと、
前記端末設備が、前記レベル情報に従って、前記ネットワーク構成を修正することと、
前記端末設備が、修正後のネットワーク構成に従って、前記ネットワーク設備と通信することとを含む、通信方法。
【請求項８】
前記ネットワーク構成は、物理層の構成と、媒体アクセス制御（ＭＡＣ）層の構成と、無線リンク制御層プロトコル（ＲＬＣ）層の構成と、パケットデータ収束プロトコル（ＰＤＣＰ）層の構成及び/または時間周波数リソースの構成とを含むことを特徴とする
請求項７に記載の通信方法。
【請求項９】
前記レベル情報は、前記端末設備が第１の優先級端末設備、第２の優先級端末設備または第３の優先級端末設備であることを示すことに用いられ、ここで、前記第１の優先級端末設備、前記第２の優先級端末設備及び前記第３の優先級端末設備は、前記ネットワーク構成のパラメータに対する要求が順次に低下することを特徴とする
請求項７または８に記載の通信方法。
【請求項１０】
前記端末設備が、ネットワーク設備が送信したネットワーク構成を受信することは、
前記端末設備が、前記ネットワーク設備がブロードキャストまたは専用上位層シグナリングによって送信した前記ネットワーク構成を受信することを含むことを特徴とする
請求項７乃至９の中のいずれか一項に記載の通信方法。
【請求項１１】
前記ネットワーク構成は、第１のレートのサービスであり、
ここで、前記端末設備が、前記レベル情報に従って、前記ネットワーク構成を修正することは、
前記レベル情報が、前記端末設備が第１の優先級端末設備であることを示す場合、前記第１の優先級端末設備が、前記第１のレートを第２のレートにシフトし、前記第２のレートは、前記第１のレートより大きいことを含むことを特徴とする
請求項７乃至１０の中のいずれか一項に記載の通信方法。
【請求項１２】
前記ネットワーク構成は、第１のパーセンテージの滞在率またはアクセス率であり、前記滞在率は、ネットワークが輻輳する時に、前記端末設備が現在のネットワークに滞在する確率であり、前記アクセス率は、前記端末設備が前記ネットワーク設備にアクセスするアクセス確率であり、
ここで、前記端末設備が、レベル情報に従って、前記ネットワーク構成を修正することは、
前記レベル情報が、前記端末設備が第１の優先級端末設備であることを示す場合、前記第１の優先級端末設備が、前記滞在率または前記アクセス率を第２のパーセンテージに拡大し、前記第２のパーセンテージは、前記第１のパーセンテージより大きいことを含むことを特徴とする
請求項７乃至１０の中のいずれか一項に記載の通信方法。
【請求項１３】
ネットワーク設備であって、
請求項１乃至６のいずれか一項に記載の通信方法を実行するように構成されるプロセッサと、
前記プロセッサで実行可能な命令が記憶されるメモリと、
を含む、前記ネットワーク設備。
【請求項１４】
端末設備であって、
請求項７乃至１２のいずれか一項に記載の通信方法を実行するように構成されるプロセッサと、
前記プロセッサで実行可能な命令が記憶されるメモリと、
を含む、前記端末設備。
【請求項１５】
コンピュータでの読み取り可能な媒体であって、
命令が記憶され、前記命令がプロセッサで実行される時に、請求項１乃至６のいずれか一項に記載の通信方法、又は請求項７乃至１２のいずれか一項に記載の通信方法が実行される、
前記コンピュータでの読み取り可能な媒体。
【国際調査報告】
2019519955.tif 000010
2019519955.tif 000011
2019519955.tif 000012
2019519955.tif 000013